(57)【要約】      （修正有）【課題】機構を簡易化する【解決手段】現金自動取引装置１は、紙幣に関する操作を受け付ける接客部と、紙幣を外部から取り込むと共に外部へ排出する入出金口部２１と、紙幣の鑑別を行う鑑別部２２と、入出金口部２１と鑑別部２２との間において紙幣を搬送する前方搬送部３０ａと、鑑別部２２の下方に設けられ、入出金口部２１に投入された紙幣のうち鑑別部２２により正常と判別された正常紙幣を収納する紙幣収納庫２６ａ〜２６ｃと、鑑別部２２の下方に設けられ、正常紙幣を金種に応じて紙幣収納庫に振り分けると共に、鑑別部２２により入金に適さないと判別された入金リジェクト紙幣を貯留する振分搬送部２７と、鑑別部２２と振分搬送部２７との間において紙幣を搬送する後方搬送部３０ｂとを設けるようにした。【選択図】図２
2015056125.tif 000002
【特許請求の範囲】
【請求項１】
紙幣を外部から取り込むと共に外部へ排出する入出金口部と、
前記紙幣の鑑別を行う鑑別部と、
前記入出金口部と前記鑑別部との間において前記紙幣を搬送する第１搬送部と、
前記鑑別部の下方に設けられ、前記入出金口部に投入された前記紙幣のうち前記鑑別部により正常と判別された正常紙幣を収納する紙幣収納庫と、
前記鑑別部の下方に設けられ、前記正常紙幣を金種に応じて前記紙幣収納庫に振り分けると共に、前記鑑別部により入金に適さないと判別された入金リジェクト紙幣を貯留する振分搬送部と、
前記鑑別部と前記振分搬送部との間において前記紙幣を搬送する第２搬送部と
を有する紙幣入出金装置。
【請求項２】
前記入金リジェクト紙幣を前記振分搬送部に貯留した後、前記入出金口部に戻して返却する制御部
をさらに有する
請求項１に記載の紙幣入出金装置。
【請求項３】
前記紙幣を一時的に保留する一時保留部
をさらに有する
請求項２に記載の紙幣入出金装置。
【請求項４】
前記一時保留部又は前記振分搬送部に前記紙幣の搬送先を切り替える第２搬送路切替器
をさらに有し、
前記第２搬送部は、前記第２搬送路切替器の切替状態に応じて、前記鑑別部と前記一時保留部又は前記振分搬送部との間において前記紙幣を搬送する
請求項３に記載の紙幣入出金装置。
【請求項５】
前記一時保留部と前記入出金口部とは、前記第２搬送部、前記鑑別部及び前記第１搬送部を介してのみ接続されている
請求項３に記載の紙幣入出金装置。
【請求項６】
前記制御部は、前記振分搬送部に貯留している前記入金リジェクト紙幣の枚数が最大貯留枚数に達した場合、前記入出金口部の前記紙幣を全て前記一時保留部へ搬送し、前記入金リジェクト紙幣を前記入出金口部へ搬送した後、前記一時保留部に保留されている前記紙幣を前記入出金口部へ搬送する
請求項３に記載の紙幣入出金装置。
【請求項７】
前記制御部は、前記入金リジェクト紙幣が前記入出金口部から繰り出される順序が後側に移動した紙幣束を前記入出金口部から繰り出し前記鑑別部に搬送する
請求項６に記載の紙幣入出金装置。
【請求項８】
前記第２搬送部は、前記鑑別部から前記第２搬送路切替器までの長さが、前記鑑別部の判別結果に基づき前記第２搬送路切替器が切り替えられる前に、前記鑑別部を通過した前記紙幣が前記第２搬送路切替器に到達するよう形成されており、
前記制御部は、予め前記第２搬送路切替器を前記一時保留部に切り替えて、前記入金リジェクト紙幣を前記一時保留部に収納して前記入出金口部からの前記紙幣の繰り出しを中断した後、前記入金リジェクト紙幣を前記一時保留部から前記振分搬送部に搬送する
請求項４に記載の紙幣入出金装置。
【請求項９】
前記第２搬送部は、前記鑑別部から前記第２搬送路切替器までの長さが、前記鑑別部を通過した前記紙幣が前記第２搬送路切替器に到達する前に前記鑑別部の判別結果に基づき前記第２搬送路切替器が切り替えられるよう形成されており、
前記制御部は、前記鑑別部により前記紙幣が正常紙幣であると判別されると、前記第２搬送路切替器を前記一時保留部に切り替えて当該正常紙幣を前記鑑別部から前記一時保留部に搬送する一方、前記鑑別部により前記紙幣が入金リジェクト紙幣であると判別されると、前記第２搬送路切替器を前記振分搬送部に切り替えて当該入金リジェクト紙幣を前記鑑別部から前記振分搬送部に搬送する
請求項４に記載の紙幣入出金装置。
【請求項１０】
前記一時保留部は、テープの間に紙幣を整列させるよう挟持しドラムに順次巻き付けることにより収納する一方当該ドラムを収納時とは反対方向に回転させることにより収納している紙幣を外部に繰り出す
請求項４に記載の紙幣入出金装置。
【請求項１１】
前記振分搬送部は、前記鑑別部と前記紙幣収納庫との間に設けられている
請求項２に記載の紙幣入出金装置。
【請求項１２】
前記制御部は、前記正常紙幣を金種に応じて前記紙幣収納庫に収納し、前記鑑別部により前記入金リジェクト紙幣が判別されると、前記入出金口部からの前記紙幣の繰り出しを中断した後、当該入金リジェクト紙幣を前記入出金口部へ搬送する
請求項２に記載の紙幣入出金装置。
【請求項１３】
前記入出金口部に集積された紙幣が規定時間内に抜き取られない場合に当該紙幣を収納する取込庫
をさらに有する
請求項２に記載の紙幣入出金装置。
【請求項１４】
前記取込庫は、前記紙幣収納庫と左右方向に並んで設けられ、前記振分搬送部により振り分けられた前記紙幣を収納する
請求項１３に記載の紙幣入出金装置。
【請求項１５】
前記紙幣収納庫に収納された紙幣を出金するときに前記鑑別部により出金に適さないと判別された出金リジェクト紙幣を収納するリジェクト庫
をさらに有する
請求項２に記載の紙幣入出金装置。
【請求項１６】
前記入出金口部又は前記リジェクト庫に前記紙幣の搬送先を切り替える第１搬送路切替器
をさらに有し、
前記第１搬送部は、前記第１搬送路切替器の切替状態に応じて、前記鑑別部と前記入出金口部又は前記リジェクト庫との間において前記紙幣を搬送し、
前記制御部は、前記鑑別部により前記紙幣が出金に適した紙幣であると判別されると、前記第１搬送路切替器を前記入出金口部に切り替えて当該紙幣を前記鑑別部から前記入出金口部に搬送する一方、前記鑑別部により前記紙幣が出金リジェクト紙幣であると判別されると、前記第１搬送路切替器を前記リジェクト庫に切り替えて当該出金リジェクト紙幣を前記鑑別部から前記リジェクト庫に搬送する
請求項１５に記載の紙幣入出金装置。
【請求項１７】
前記一時保留部は、前記紙幣入出金装置に対し着脱可能に構成されている
請求項６に記載の紙幣入出金装置。
【請求項１８】
前記制御部は、前記一時保留部が前記紙幣入出金装置に装着されている場合、前記入金リジェクト紙幣を前記一時保留部に収納した後に前記振分搬送部に搬送する一方、前記一時保留部が前記紙幣入出金装置に装着されていない場合、前記入金リジェクト紙幣を前記入出金口部へ搬送する
請求項１７に記載の紙幣入出金装置。
【請求項１９】
紙幣に関する操作を受け付ける接客部と、
前記紙幣を外部から取り込むと共に外部へ排出する入出金口部と、
前記紙幣の鑑別を行う鑑別部と、
前記入出金口部と前記鑑別部との間において前記紙幣を搬送する第１搬送部と、
前記鑑別部の下方に設けられ、前記入出金口部に投入された前記紙幣のうち前記鑑別部により正常と判別された正常紙幣を収納する紙幣収納庫と、
前記鑑別部の下方に設けられ、前記正常紙幣を金種に応じて前記紙幣収納庫に振り分けると共に、前記鑑別部により入金に適さないと判別された入金リジェクト紙幣を貯留する振分搬送部と、
前記鑑別部と前記振分搬送部との間において前記紙幣を搬送する第２搬送部と
を有する紙幣取引装置。
【発明の詳細な説明】
【技術分野】
【０００１】
本発明は、紙幣入出金装置及び紙幣取引装置に関し、例えば、現金自動取引装置に組み込まれた紙幣入出金機に適用して好適なものである。
【背景技術】
【０００２】
従来、現金自動取引装置には、紙幣の入出金処理を行う紙幣入出金機が組み込まれている。紙幣入出金機は、例えば、利用者との間で紙幣の授受を行う入出金口部と、投入された紙幣の金種及び真偽を鑑別する鑑別部と、投入された紙幣を一時的に保留する一時保留部と、金種ごとに紙幣を収納する紙幣収納庫と、これらを繋ぐ搬送路などにより構成されている。
【０００３】
この種の紙幣入出金機は、入金時に利用者により入出金口部に紙幣が投入されると、投入された紙幣の計数処理を行う。この計数処理において紙幣入出金機は、投入された紙幣を入出金口部の繰出口から繰り出して１枚ずつ鑑別部で鑑別し、鑑別の結果、正常な紙幣と判別した紙幣を一時保留部に収納して計数する一方で、入金する紙幣として適さないと判別した紙幣である入金リジェクト紙幣を、入出金口部において繰出口とは別に設けられた集積口から入出金口部へ戻して利用者に返却する（例えば特許文献１参照）。
【０００４】
その後利用者により入金金額が確定されると、紙幣入出金機は、一時保留部に収納している正常な紙幣を鑑別部で再判別した後、金種に応じた各紙幣収納庫へ保管する。
【先行技術文献】
【特許文献】
【０００５】
【特許文献１】特開２０１１−２９１２号公報
【発明の概要】
【発明が解決しようとする課題】
【０００６】
しかしながらこのような紙幣入出金機では、入出金口部の繰出口と集積口とを繋ぐ搬送路が存在し、機構が複雑になってしまうおそれがあった。
【０００７】
本発明は以上の点を考慮してなされたもので、機構を簡易化し得る紙幣入出金装置及び紙幣取引装置を提案しようとするものである。
【課題を解決するための手段】
【０００８】
かかる課題を解決するため本発明の紙幣入出金装置においては、紙幣を外部から取り込むと共に外部へ排出する入出金口部と、紙幣の鑑別を行う鑑別部と、入出金口部と鑑別部との間において紙幣を搬送する第１搬送部と、鑑別部の下方に設けられ、入出金口部に投入された紙幣のうち鑑別部により正常と判別された正常紙幣を収納する紙幣収納庫と、鑑別部の下方に設けられ、正常紙幣を金種に応じて紙幣収納庫に振り分けると共に、鑑別部により入金に適さないと判別された入金リジェクト紙幣を貯留する振分搬送部と、鑑別部と振分搬送部との間において紙幣を搬送する第２搬送部とを設けるようにした。
【０００９】
この紙幣入出金装置は、入出金口部の繰出口と集積口とを共通化させ搬送路を簡易化すると共に、入金リジェクト紙幣を入出金口部に搬送することなく振分搬送部に搬送することにより一時貯留することができる。
【００１０】
また本発明の紙幣取引装置においては、紙幣に関する操作を受け付ける接客部と、紙幣を外部から取り込むと共に外部へ排出する入出金口部と、紙幣の鑑別を行う鑑別部と、入出金口部と鑑別部との間において紙幣を搬送する第１搬送部と、鑑別部の下方に設けられ、入出金口部に投入された紙幣のうち鑑別部により正常と判別された正常紙幣を収納する紙幣収納庫と、鑑別部の下方に設けられ、正常紙幣を金種に応じて紙幣収納庫に振り分けると共に、鑑別部により入金に適さないと判別された入金リジェクト紙幣を貯留する振分搬送部と、鑑別部と振分搬送部との間において紙幣を搬送する第２搬送部とを設けるようにした。
【００１１】
この紙幣取引装置は、入出金口部の繰出口と集積口とを共通化させ搬送路を簡易化すると共に、入金リジェクト紙幣を入出金口部に搬送することなく振分搬送部に搬送することにより一時貯留することができる。
【発明の効果】
【００１２】
本発明によれば、入出金口部の繰出口と集積口とを共通化させ搬送路を簡易化すると共に、入金リジェクト紙幣を入出金口部に搬送することなく振分搬送部に搬送することにより一時貯留することができる。かくして本発明は、機構を簡易化し得る紙幣入出金装置及び紙幣取引装置を実現できる。
【図面の簡単な説明】
【００１３】
【図１】現金自動取引装置の構成を示す斜視図である。
【図２】第１の実施の形態における紙幣入出金機の構成を示す左側面図である。
【図３】第１の実施の形態における後方搬送部及び振分搬送部の構成を示す左側面図である。
【図４】第１の実施の形態における入金計数処理（１）を示す略線図である。
【図５】第１の実施の形態における入金計数処理（２）を示す略線図である。
【図６】第１の実施の形態における入金計数処理（３）を示す略線図である。
【図７】第１の実施の形態における入金計数処理（４）を示す略線図である。
【図８】第１の実施の形態における入金計数処理（５）を示す略線図である。
【図９】第１の実施の形態における入金リジェクト紙幣が最大貯留枚数に達した場合の入金計数処理（１）を示す略線図である。
【図１０】第１の実施の形態における入金リジェクト紙幣が最大貯留枚数に達した場合の入金計数処理（２）を示す略線図である。
【図１１】第１の実施の形態における入金リジェクト紙幣が最大貯留枚数に達した場合の入金計数処理（３）を示す略線図である。
【図１２】第１の実施の形態における入金リジェクト紙幣が最大貯留枚数に達した場合の入金計数処理（４）を示す略線図である。
【図１３】入金リジェクト紙幣取込処理（１）を示す略線図である。
【図１４】入金リジェクト紙幣取込処理（２）を示す略線図である。
【図１５】第１の実施の形態における収納処理を示す略線図である。
【図１６】出金取引処理を示す略線図である。
【図１７】出金紙幣取込処理を示す略線図である。
【図１８】第１の実施の形態における入金リジェクト紙幣の一時貯留（１）を示す左側面図である。
【図１９】第１の実施の形態における入金リジェクト紙幣の一時貯留（２）を示す左側面図である。
【図２０】第１の実施の形態における入金リジェクト紙幣の一時貯留（３）を示す左側面図である。
【図２１】第１の実施の形態における入金リジェクト紙幣の一時貯留（４）を示す左側面図である。
【図２２】第１の実施の形態における入金リジェクト紙幣の一時貯留（５）を示す左側面図である。
【図２３】第２の実施の形態における紙幣入出金機の構成を示す左側面図である。
【図２４】第２の実施の形態における入金計数・収納処理（１）を示す略線図である。
【図２５】第２の実施の形態における入金計数・収納処理（２）を示す略線図である。
【図２６】第２の実施の形態における入金計数・収納処理（３）を示す略線図である。
【図２７】第２の実施の形態における入金計数・収納処理（４）を示す略線図である。
【図２８】第３の実施の形態における紙幣入出金機の構成を示す左側面図である。
【図２９】第３の実施の形態における入金計数処理を示す略線図である。
【図３０】表裏反転操作誘導画面を示す略線図である。
【発明を実施するための形態】
【００１４】
以下、発明を実施するための形態について、図面を用いて詳細に説明する。
【００１５】
［１．第１の実施の形態］
［１−１．現金自動取引装置の構成］
図１に外観を示すように、現金自動取引装置１は箱状の筐体１１を中心に構成されており、キャッシュカード、紙幣や取引明細票等を取引媒体として利用者の操作によって現金の預け払い、支払いや振り込み等の処理を行うようになされている。
【００１６】
筐体１１は、その前側に利用者が対峙した状態で紙幣の投入やタッチパネルによる操作等をしやすい箇所、すなわち前面の上部から上面に渡る部分が斜めに切り落とされたような形状となっており、この部分に接客部１２が設けられている。
【００１７】
接客部１２は、カード挿入返却口２、レシート発行口３、テンキー７、操作表示部６及び入出金口部２１が設けられており、利用者との間で現金や通帳等を直接やり取りすると共に、取引に関する情報の通知や操作指示の受付を行うようになされている。
【００１８】
この現金自動取引装置１の内部上方には、利用者のキャッシュカード等を処理するカード処理機（図示せず）と、レシートを印字して利用者へ発行するレシート印刷機（図示せず）とが設けられている。
【００１９】
カード処理機は、カード挿入返却口２より投入された利用者のキャッシュカードを処理し、レシート印刷機は、レシート発行口３より取引明細票を利用者へ放出する。
【００２０】
また現金自動取引装置１の内部下方には、紙幣を処理する紙幣入出金機４が設けられている。この紙幣入出金機４の前面上方には、利用者が入金する紙幣が投入されると共に利用者へ出金する紙幣が排出される入出金口部２１が設けられている。入出金口部２１は、入出金口シャッタ５を駆動することにより開放又は閉鎖するようになされている。
【００２１】
操作表示部６は、取引に際して操作画面を表示するＬＣＤ（Liquid Crystal Display）と、取引の種類の選択、暗証番号や取引金額等を入力するタッチパネルとが一体化されている。
【００２２】
テンキー７は、「０」〜「９」の数字等の入力を受け付ける物理キーであり、暗証番号や取引金額等の入力操作時に用いられる。
【００２３】
筐体１１の内部には、現金自動取引装置１の全体を統括的に制御して上述した各部の制御を行う主制御部８や、現金自動取引装置１の運用情報等を記憶する記憶部８Ａが設けられている。
【００２４】
また紙幣入出金機４の内部には、紙幣入出金機４の制御を行う制御部１０と、この制御部１０の記憶領域となる記憶部（図示せず）とが設けられている。制御部１０は、記憶部から所定のプログラムを読み出し、後述する入金計数処理、入金リジェクト紙幣取込処理、収納処理、出金取引処理、出金紙幣取込処理等を行う。
【００２５】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００２６】
［１−２．紙幣入出金機の構成］
図２に示すように紙幣入出金機４の前面上方には、利用者が紙幣の投入や受け取りを行うための入出金口部２１が配置され、この入出金口部２１の入出金口２１ａに上述した入出金口シャッタ５が設けられている。
【００２７】
紙幣入出金機４は、入出金口シャッタ５を開くことで、入出金口部２１を現金自動取引装置１の前面から露出させ、利用者に対して紙幣の投入や紙幣の受け取りを行わせる。
【００２８】
入出金口部２１の下側後方には紙幣の特徴を１枚ずつ抽出して紙幣の真偽、正損、金種、記番号、枚数、搬送状態等を判別する鑑別部２２が配置されている。
【００２９】
入出金口部２１の後方且つ鑑別部２２の上方には、利用者が入金した紙幣を取引成立まで一時的に保管する一時保留部２３が配置されている。一時保留部２３は、所謂テープ巻取式となっており、所定のリールに巻かれたテープの間に紙幣を短辺方向に沿って整列させるよう挟持し円筒形状のドラムに順次巻き付けることにより、多数の紙幣を収納する。また一時保留部２３は、テープを所定のリールにそれぞれ巻き取りながらドラムを収納時とは反対方向に回転させることにより、収納している紙幣を放出し外部に繰り出す。
【００３０】
鑑別部２２の前後には、鑑別部２２の前側と接続され前後方向に直線状に延在する前方搬送路３０ａ１を有する前方搬送部３０ａと、鑑別部２２の後側と接続され三又部分を介し上下方向に直線状に延在する後方搬送路３０ｂ１を有する後方搬送部３０ｂとからなる搬送部３０が設けられている。
【００３１】
前方搬送部３０ａは、前方搬送路３０ａ１を挟んで対向配置された複数の搬送ローラ４０と、当該前方搬送路３０ａ１に沿って設けられた搬送ガイド（図示せず）とが設けられ、図示しないモータで搬送ローラ４０を任意の方向に回転させることにより紙幣を双方向に搬送させる。
【００３２】
後方搬送部３０ｂは、後方搬送路３０ｂ１を挟んで対向配置された複数の搬送ローラ４０と、当該後方搬送路３０ｂ１に沿って設けられた図３に示す搬送ガイド４１とが設けられ、図示しないモータで搬送ローラ４０を任意の方向に回転させることにより紙幣を双方向に搬送させる。
【００３３】
前方搬送部３０ａの前方には、利用者へ出金する紙幣として適さないと判別された紙幣（以下では出金リジェクト紙幣とも呼ぶ）を収納するリジェクト庫２４が配置されている。
【００３４】
前方搬送部３０ａは、前端がリジェクト庫２４と接続され、前側上端が入出金口部２１と接続されている。また前方搬送部３０ａには、入出金口部２１及びリジェクト庫２４との接続箇所となる前端部分に搬送路切替器３２ａが設けられている。
【００３５】
前方搬送部３０ａは、出金取引時に後方から前方へ向かう紙幣が鑑別部２２を通過してから搬送路切替器３２ａに到達する前の時点において、紙幣を鑑別し鑑別結果に基づいて搬送路切替器３２ａをリジェクト庫２４又は入出金口部２１に切り替えることができるだけの前方搬送路３０ａ１の長さを有している。
【００３６】
後方搬送部３０ｂは、上端が一時保留部２３と接続され、下端が後述する振分搬送部２７と接続されている。また後方搬送部３０ｂには、一時保留部２３及び振分搬送部２７との接続箇所となる中央部分に搬送路切替器３２ｂが設けられている。以下では搬送路切替器３２ａ及び３２ｂをまとめて搬送路切替器３２とも呼ぶ。
【００３７】
これら２個の搬送路切替器３２ａ及び３２ｂは、制御部１０の制御に基づき、鑑別部２２と、入出金口部２１、一時保留部２３、リジェクト庫２４及び振分搬送部２７との間を接続又は非接続に切り替えることにより、紙幣の搬送先を、入出金口部２１、一時保留部２３、リジェクト庫２４又は振分搬送部２７に切り替える。
【００３８】
また後方搬送部３０ｂには、搬送路切替器３２ｂより下方に搬送状態検知センサ３３（図３）が配置されており、この搬送状態検知センサ３３により後方搬送部３０ｂ内の紙幣の搬送状態を検知する。
【００３９】
後方搬送部３０ｂは、前後方向の長さが前方搬送部３０ａよりも短く形成されている。これにより現金自動取引装置１は、紙幣入出金機４の前後方向の大きさを小型化できる。このように後方搬送部３０ｂは、前後方向の長さが短く形成されているため、入金取引時に前方から後方へ向かう紙幣が鑑別部２２を通過してから搬送路切替器３２ｂに到達する前の時点において、鑑別結果に基づいて搬送路切替器３２ａを一時保留部２３又は振分搬送部２７に切り替えることができるだけの後方搬送路３０ｂ１の長さを有していない。
【００４０】
また鑑別部２２の下方には、板厚の厚い鋼板で囲われた金庫部２０の内側に、紙幣を金種別に収納する３個の紙幣収納庫２６（２６ａ〜２６ｃ）が前後方向に並んで配置されている。
【００４１】
金庫部２０の内側における紙幣収納庫２６の上方には、前後方向に延在する振分搬送部２７が配置されている。すなわち振分搬送部２７は、鑑別部２２と紙幣収納庫２６との間に配置されている。
【００４２】
また紙幣収納庫２６ｃの前方において振分搬送部２７の下方には、利用者が入出金口部２１から取り忘れた紙幣を収納する取込庫２５が配置されている。
【００４３】
振分搬送部２７は、後方搬送部３０ｂと各紙幣収納庫２６及び取込庫２５とを接続し、後方搬送部３０ｂと各紙幣収納庫２６及び取込庫２５との間で、紙幣を双方向に搬送させる。
【００４４】
すなわち振分搬送部２７は、紙幣収納庫２６へ収納する紙幣を、後方搬送部３０ｂから紙幣収納庫２６へと搬送する一方、紙幣収納庫２６から利用者へ出金する紙幣を紙幣収納庫２６から後方搬送部３０ｂへと搬送する。
【００４５】
［１−３．振分搬送部の構成］
図３に示すように振分搬送部２７は、後方搬送部３０ｂの下端から下方へ向かって延び前方へ向かって湾曲し取込庫２５の上側まで前後方向に延在する振分搬送路２８が設けられている。
【００４６】
この振分搬送部２７は、振分搬送路２８を挟んで対向配置された複数の搬送ローラ５０と、振分搬送路２８に沿って設けられた搬送ガイド５１と、搬送ローラ５０に装着された搬送ベルト５２とが設けられ、図示しないモータで搬送ローラ５０を任意の方向に回転させることにより紙幣を双方向に搬送させる。
【００４７】
振分搬送部２７は、後端が後方搬送部３０ｂの下端と接続されており、前端が取込庫２５の上端と接続されている。また振分搬送部２７は、前端と後端との間の３箇所で、紙幣収納庫２６ａ、２６ｂ及び２６ｃの上端と接続されており、それぞれ紙幣収納庫２６ａ、２６ｂ及び２６ｃとの接続箇所に搬送路切替器５３ａ、５３ｂ及び５３ｃが設けられている。
【００４８】
これら３個の搬送路切替器５３（５３ａ〜５３ｃ）は、制御部１０の制御に基づき、振分搬送部２７と、後方搬送部３０ｂ、紙幣収納庫２６及び取込庫２５との間を接続又は非接続に切り替えることにより、紙幣の搬送先を、後方搬送部３０ｂ、紙幣収納庫２６又は取込庫２５のうちの１つに切り替える。
【００４９】
また振分搬送部２７には、後端及び前端にそれぞれ搬送状態検知センサ５４（５４ａ及び５４ｂ）が配置されており、この搬送状態検知センサ５４（５４ａ及び５４ｂ）により振分搬送部２７内の紙幣の搬送状態を検知する。
【００５０】
なお紙幣入出金機４を構成する各機構部には、図示しない駆動モータ、電磁ソレノイドや機構位置検知センサが組み込まれており、制御部１０は、紙幣の取り引きに応じて必要な駆動モータや電磁ソレノイドを駆動させ、機構位置検知センサにより機構部の状態を検知する。
【００５１】
またこれら各機構部には、紙幣の位置を検知する紙幣位置検知センサが組み込まれており、制御部１０は、紙幣の取り引きに応じて、各機構部に組み込まれた紙幣位置検知センサにより紙幣の位置や移動を監視する。
【００５２】
［１−４．入金計数処理］
次に、紙幣入出金機４における入金計数処理の動作について図４乃至図７を用いて説明する。
【００５３】
紙幣入出金機４は、利用者により現金自動取引装置１にキャッシュカード等が挿入され、操作表示部６を介して入金取引が選択されて暗証番号等が入力されると、入出金口シャッタ５を開くことにより、紙幣の投入が可能な状態となる。
【００５４】
その後、図４に示すように利用者により入出金口部２１に紙幣が投入されると、紙幣入出金機４は、入出金口部２１内のセンサにより紙幣の投入を検知して入出金口シャッタ５（図２）を閉じる。
【００５５】
その後、図５に示すように紙幣入出金機４は、入出金口部２１に投入された紙幣を１枚ずつ分離し下流の鑑別部２２に繰り出す。
【００５６】
紙幣入出金機４は、鑑別部２２における判別結果に関わらず、紙幣の搬送先が一時保留部２３となるように搬送路切替器３２ｂを切り替えている。
【００５７】
すなわち、鑑別部２２によって紙幣が入金受入可能な紙幣（すなわち正常紙幣）と判別されると、紙幣入出金機４は、当該正常紙幣を鑑別部２２から一時保留部２３へ搬送し収納する。このとき紙幣入出金機４は、鑑別部２２によって鑑別された紙幣の金種をもとに、一時保留部２３内に収納した紙幣の計数を行う。
【００５８】
一方、鑑別部２２によって紙幣が入金受入不可能な紙幣（すなわち入金リジェクト紙幣）と判別されると、図６に示すように紙幣入出金機４は、当該入金リジェクト紙幣を鑑別部２２から一時保留部２３へと搬送し収納すると入金計数処理を中断し、入出金口部２１からの紙幣の繰り出しを中断する。
【００５９】
その後紙幣入出金機４は、入金リジェクト紙幣の搬送先が振分搬送部２７となるように搬送路切替器３２ｂを切り替え、一時保留部２３から入金リジェクト紙幣を繰り出し振分搬送部２７へ搬送し一時貯留する。
【００６０】
上述したように、後方搬送部３０ｂにおいては紙幣が鑑別部２２を通過してから搬送路切替器３２ｂを一時保留部２３又は振分搬送部２７に切り替える前に搬送路切替器３２ｂに到達してしまうため、正常紙幣か入金リジェクト紙幣かの何れかによって紙幣の搬送先を一時保留部２３又は振分搬送部２７に切り替えることができない。
【００６１】
このため紙幣入出金機４は、紙幣が正常紙幣か入金リジェクト紙幣かに関わらず、紙幣の搬送先が一時保留部２３になるよう搬送路切替器３２ｂを予め切り替え、入金リジェクト紙幣を一旦一時保留部２３に収納して入金計数処理を中断してから振分搬送部２７へ搬送する。
【００６２】
その後紙幣入出金機４は入金計数処理を再開する。紙幣入出金機４は、再度入金リジェクト紙幣を判別した場合、再び入金計数処理を中断し、当該入金リジェクト紙幣を振分搬送部２７内に一時貯留する。紙幣入出金機４は、入出金口部２１内の紙幣の計数が完了するまでこれを繰り返す。
【００６３】
その後、入出金口部２１内の紙幣の計数が完了すると、図７に示すように紙幣入出金機４は、振分搬送部２７に一時貯留している入金リジェクト紙幣を１枚ずつ鑑別部２２に繰り出し、鑑別部２２を経由して入出金口部２１に戻して集積し利用者へ返却する。
【００６４】
このとき現金自動取引装置１は、操作表示部６に入金リジェクト紙幣の受取案内を表示する。そして紙幣入出金機４が入出金口シャッタ５を開くことで、入金リジェクト紙幣の受け取りが可能な状態となる。
【００６５】
その後、図８に示すように利用者により入出金口部２１から入金リジェクト紙幣が抜き取られると、入出金口部２１内のセンサにより紙幣の受け取りが検知され、紙幣入出金機４は入出金口シャッタ５を閉じる。そして紙幣入出金機４は再度入出金口シャッタ５を開き、紙幣の投入が可能な状態とする。
【００６６】
ここで、利用者により再度入出金口部２１に紙幣が投入されると、入出金口部２１内のセンサにより紙幣の投入が検知され、紙幣入出金機４は入出金口シャッタ５を閉じる。紙幣入出金機４は、再度投入された紙幣の計数を上述した手順で行う。
【００６７】
この入金計数処理が完了すると、現金自動取引装置１は、操作表示部６に入金計数結果を表示して、利用者に対して入金計数結果の確認を行う。
【００６８】
ここで、利用者により操作表示部６を介して入金取引の確定が指示入力されると、紙幣入出金機４は、後述する収納処理を行う。
【００６９】
［１−５．入金リジェクト紙幣が最大貯留枚数に達した場合の入金計数処理］
一方で、振分搬送部２７に一時貯留されている入金リジェクト紙幣が一時貯留可能な最大枚数である最大貯留枚数に達した場合の動作について図９乃至図１２を用いて説明する。
【００７０】
図９に示すように、一時貯留されている入金リジェクト紙幣の枚数が最大貯留枚数である４枚に達した場合、紙幣入出金機４は入金計数処理を中断する。
【００７１】
続いて図１０に示すように、紙幣入出金機４は、入出金口部２１に残っている全ての紙幣を１枚ずつ鑑別部２２を経由して一時保留部２３に搬送し収納する。
【００７２】
次に図１１に示すように、紙幣入出金機４は、振分搬送部２７に一時貯留している入金リジェクト紙幣を１枚ずつ鑑別部２２を経由して入出金口部２１に搬送して集積する。
【００７３】
その後紙幣入出金機４は、図１２に示すように一時保留部２３内の全ての紙幣を１枚ずつ鑑別部２２を経由して搬送し入出金口部２１に戻して集積し、入金計数処理を再開する。
【００７４】
これにより紙幣入出金機４は、入出金口部２１から再び紙幣を繰り出す際に、振分搬送部２７に貯留されていた入金リジェクト紙幣を搬送順序の後側に配置し、一時保留部２３に保留されていた正常紙幣と、入出金口部２１に残留していた紙幣とを搬送順序の前側に配置することにより、入金計数処理を再開した際に他の紙幣に先駆けて入金リジェクト紙幣を入出金口部２１から繰り出してしまうことを防止できる。
【００７５】
紙幣入出金機４は、入金計数処理を繰り返し行うことにより、正常紙幣及び未計数紙幣を除いた入金リジェクト紙幣のみを利用者に返却することができ、利用者に返却する紙幣の枚数を少なくすることができる。
【００７６】
［１−６．入金リジェクト紙幣取込処理］
次に、紙幣入出金機４における入金リジェクト紙幣取込処理の動作について図１３及び図１４を用いて説明する。この入金リジェクト紙幣取込処理は、上述の入金計数処理で入金リジェクト紙幣を入出金口部２１に戻した後、利用者がこれを取り忘れた場合に行われる処理である。
【００７７】
紙幣入出金機４は、入出金口部２１に入金リジェクト紙幣を戻した後、規定時間内に入金リジェクト紙幣が入出金口部２１から抜き取られない場合、まず入出金口シャッタ５を閉じる。
【００７８】
その後図１３に示すように、紙幣入出金機４は、入出金口部２１に集積されている入金リジェクト紙幣を１枚ずつ分離して鑑別部２２を経由して一時保留部２３に搬送し、この一時保留部２３に既に集積されている紙幣と一緒に収納する。
【００７９】
その後図１４に示すように、紙幣入出金機４は、一時保留部２３に収納されている紙幣を１枚ずつ繰り出して取込庫２５へと搬送し集積する。
【００８０】
［１−７．収納処理］
次に、紙幣入出金機４における収納処理の動作について図１５を用いて説明する。この収納処理は、利用者により入金取引の確定が指示入力された後に行われる処理である。
【００８１】
紙幣入出金機４は、上述した入金計数処理で一時保留部２３に収納された紙幣を１枚ずつ分離し繰り出す。
【００８２】
入金計数処理において鑑別部２２によって、紙幣の正損、金種、搬送状態等を１枚ずつ判別しているため、紙幣入出金機４は、この判別結果に応じて、鑑別部２２に紙幣を再び搬送することなく搬送路切替器３２ｂを切り替える。
【００８３】
すなわち、入金計数処理において鑑別部２２によって紙幣が収納不適合な紙幣（すなわち収納リジェクト紙幣）と判別されている場合、紙幣入出金機４は、この紙幣の搬送先がリジェクト庫２４となるように搬送路切替器３２ａ及び３２ｂを切り替える。これにより紙幣入出金機４は、収納リジェクト紙幣を一時保留部２３からリジェクト庫２４へ搬送し集積する。
【００８４】
一方、入金計数処理において鑑別部２２によって紙幣が収納可能な紙幣（すなわち正常紙幣）と判別されている場合、紙幣入出金機４は、この紙幣の搬送先が振分搬送部２７となるように搬送路切替器３２ｂを切り替える。これにより紙幣入出金機４は、正常紙幣を一時保留部２３から振分搬送部２７へと搬送する。
【００８５】
紙幣入出金機４は、紙幣の搬送先が、紙幣の金種に応じた紙幣収納庫２６（２６ａ〜２６ｃ）となるように、搬送路切替器５３（５３ａ〜５３ｃ）を切り替える。これにより紙幣入出金機４は、紙幣を振分搬送部２７からその金種に応じた紙幣収納庫２６へと搬送し集積する。
【００８６】
また上述したように一時保留部２３は、所謂テープ巻取式であるため、外部から取り込んだ紙幣の順番を入れ替えることなく、且つ重送させずに後入れ先出しで繰り出す。このため紙幣入出金機４は、収納処理において、一時保留部２３に一旦保留した紙幣を再び鑑別部２２に搬送することなく、一時保留部２３に保留する以前に鑑別した紙幣の鑑別結果を用いて、金種毎に正確に紙幣収納庫２６へ搬送することができる。
【００８７】
［１−８．出金取引処理］
次に、紙幣入出金機４における出金取引処理の動作について図１６を用いて説明する。
【００８８】
紙幣入出金機４は、利用者により現金自動取引装置１にキャッシュカード等が挿入され、操作表示部６を介して出金取引が選択されて暗証番号及び出金金額等が入力されると、要求金額に応じて必要な金種毎の紙幣枚数を認識し、この金種毎の紙幣枚数に応じて紙幣収納庫２６（２６ａ〜２６ｃ）から紙幣を１枚ずつ振分搬送部２７に繰り出して鑑別部２２に搬送する。
【００８９】
紙幣入出金機４は、鑑別部２２によって紙幣が出金不可能な紙幣（すなわち出金リジェクト紙幣）と判別されると、出金リジェクト紙幣の搬送先がリジェクト庫２４となるように搬送路切替器３２ａを切り替え、当該出金リジェクト紙幣を鑑別部２２からリジェクト庫２４へ搬送し集積する。
【００９０】
一方、鑑別部２２によって紙幣が出金可能な紙幣（すなわち正常紙幣）と判別されると、紙幣入出金機４は、正常紙幣の搬送先が入出金口部２１となるように搬送路切替器３２ａを切り替え、当該正常紙幣を鑑別部２２から入出金口部２１へ搬送し集積する。
【００９１】
上述したように前方搬送部３０ａは、出金取引時に後方から前方へ向かう紙幣が鑑別部２２を通過してから搬送路切替器３２ａに到達する前の時点において、鑑別結果に基づいて搬送路切替器３２ａをリジェクト庫２４又は入出金口部２１に切り替えることができるだけの前方搬送路３０ａ１の長さを有している。このため紙幣入出金機４は、鑑別部２２における鑑別結果に基づき、紙幣の搬送先を入出金口部２１又はリジェクト庫２４に切り替える。
【００９２】
紙幣入出金機４は、出金金額に応じた紙幣の搬送が完了すると、入出金口シャッタ５を開くことにより、入出金口部２１内に集積されている紙幣の受け取りが可能な状態となる。
【００９３】
その後、利用者により入出金口部２１から紙幣が抜き取られると、入出金口部２１内のセンサにより紙幣の受け取りが検知され、紙幣入出金機４は入出金口シャッタ５を閉じる。
【００９４】
［１−９．出金紙幣取込処理］
次に、紙幣入出金機４における出金紙幣取込処理の動作について図１７を用いて説明する。この出金紙幣取込処理は、上述の出金取引処理で紙幣を入出金口部２１に集積した後、利用者がこれを取り忘れた場合に行われる処理である。
【００９５】
紙幣入出金機４は、入出金口部２１に紙幣を集積した後、規定時間内に紙幣が入出金口部２１から抜き取られない場合、まず入出金口シャッタ５を閉じる。
【００９６】
その後紙幣入出金機４は、入出金口部２１に集積されている紙幣（すなわち取り忘れ紙幣）を１枚ずつ分離し鑑別部２２に繰り出す。
【００９７】
紙幣入出金機４は、鑑別部２２における判別結果に関わらず、紙幣の搬送先が取込庫２５となるように搬送路切替器３２ｂ及び５３（５３ａ〜５３ｃ）を切り替えている。
【００９８】
紙幣入出金機４は、紙幣を鑑別部２２から取込庫２５へ搬送し集積する。
【００９９】
［１−１０．入金リジェクト紙幣の一時貯留］
ここで、上述した紙幣入金計数処理で入金リジェクト紙幣を振分搬送部２７内に一時貯留するときの動作について、図１８乃至図２２を用いて説明する。
【０１００】
まず紙幣入出金機４は、入出金口部２１に投入された紙幣のうち、鑑別部２２によって入金受入不可能と判別された１枚目の入金リジェクト紙幣ＢＬ１を、一時保留部２３から繰り出して後方搬送部３０ｂ内を下方に進める。
【０１０１】
この時点で紙幣入出金機４は、１枚目の入金リジェクト紙幣ＢＬ１の搬送先が振分搬送部２７となるように、搬送路切替器３２ｂを既に切り替えている。
【０１０２】
そして図１８に示すように、１枚目の入金リジェクト紙幣ＢＬ１の搬送方向先端が搬送状態検知センサ３３に到達すると、紙幣入出金機４はこの旨を搬送状態検知センサ３３で検知する。
【０１０３】
このとき紙幣入出金機４は、図示しないモータを起動して振分搬送部２７内の搬送方向が後方から前方へ向かう方向（すなわち貯留方向）となるように搬送ローラ５０を回転させる。
【０１０４】
このとき紙幣入出金機４は、搬送路切替器５３（５３ａ〜５３ｃ）を、それぞれ振分搬送部２７と紙幣収納庫２６（２６ａ〜２６ｃ）とが接続しないように既に切り替えている。
【０１０５】
すなわち搬送路切替器５３は、どの紙幣収納庫２６にも入らずに紙幣が振分搬送部２７を前方に進んでいくように切り替えられている。
【０１０６】
その後、搬送状態検知センサ３３を通過した入金リジェクト紙幣ＢＬ１は、後方搬送部３０ｂから振分搬送部２７へと搬送され、振分搬送部２７を前方に進んでいく。
【０１０７】
そして１枚目の入金リジェクト紙幣ＢＬ１の搬送方向後端が搬送状態検知センサ５４ａに到達すると、紙幣入出金機４はこの旨を搬送状態検知センサ５４ａで検知する。
【０１０８】
このとき紙幣入出金機４は、図示しないモータを停止させ搬送ローラ５０の回転を停止させることにより、入金リジェクト紙幣を振分搬送部２７の後端で停止させる。これにより図１９に示すように、１枚目の入金リジェクト紙幣ＢＬ１が振分搬送部２７に一時貯留される。
【０１０９】
その後図２０に示すように、２枚目の入金リジェクト紙幣ＢＬ２の搬送方向先端が搬送状態検知センサ３３に到達すると、紙幣入出金機４はこの旨を搬送状態検知センサ３３で検知する。
【０１１０】
このとき紙幣入出金機４は、図示しないモータを再び起動して振分搬送部２７の搬送方向が貯留方向となるように搬送ローラ５０を回転させる。
【０１１１】
これにより、振分搬送部２７に一時貯留されている１枚目の入金リジェクト紙幣ＢＬ１が前方に進んでいく。
【０１１２】
すなわち振分搬送部２７は、搬送されてくる２枚目の入金リジェクト紙幣ＢＬ２と１枚目の入金リジェクト紙幣ＢＬ１とが重ならないように、２枚目の入金リジェクト紙幣ＢＬ２が搬送されてくる前に１枚目の入金リジェクト紙幣ＢＬ１を前方に進ませる。
【０１１３】
その後、搬送状態検知センサ３３を通過した２枚目の入金リジェクト紙幣ＢＬ２は、後方搬送部３０ｂから振分搬送部２７へと搬送され、振分搬送部２７を前方に進んでいく。
【０１１４】
ここで、１枚目の入金リジェクト紙幣ＢＬ１は、２枚目の入金リジェクト紙幣ＢＬ２が振分搬送部２７に搬送されてくる前に前方に進んでいるため、１枚目の入金リジェクト紙幣ＢＬ１と２枚目の入金リジェクト紙幣ＢＬ２とは、一定の間隔を空けた状態で前方に進んでいく。
【０１１５】
そして２枚目の入金リジェクト紙幣ＢＬ２の搬送方向後端が搬送状態検知センサ５４ａに到達すると、紙幣入出金機４は、この旨をこの搬送状態検知センサ５４ａで検知して図示しないモータを停止させ、振分搬送部２７の搬送ローラ５０の回転を停止させる。これにより、図２１に示すように２枚目の入金リジェクト紙幣ＢＬ２が振分搬送部２７の後端で停止する。
【０１１６】
このとき１枚目の入金リジェクト紙幣ＢＬ１は、２枚目の入金リジェクト紙幣ＢＬ２の前方において当該入金リジェクト紙幣ＢＬ２と一定の間隔を空けて停止する。
【０１１７】
これにより、１枚目及び２枚目の入金リジェクト紙幣ＢＬ１及びＢＬ２が振分搬送部２７内に一時貯留される。
【０１１８】
その後も紙幣入出金機４は、利用者により投入された紙幣のうち入金リジェクト紙幣と判別した紙幣について、上述のように振分搬送部２７に一時貯留していく。
【０１１９】
図２２に示すように、１枚目の入金リジェクト紙幣ＢＬ１の先端が搬送状態検知センサ５４ｂに到達した場合、この時点で、振分搬送部２７内に一時貯留されている入金リジェクト紙幣の枚数が最大貯留枚数に達したことになる。
【０１２０】
ここで図２２は、最大貯留枚数である４枚の入金リジェクト紙幣ＢＬ１〜ＢＬ４が振分搬送部２７内に一時貯留されている状態を示している。
【０１２１】
このように振分搬送部２７内に一時貯留されている入金リジェクト紙幣の枚数が最大貯留枚数に達した時、又は入金リジェクト紙幣の最大貯留枚数に達する前に、入出金口部２１に投入された紙幣に対する入金計数処理が完了した時、紙幣入出金機４は、振分搬送部２７に一時貯留している入金リジェクト紙幣を利用者へ返却する。
【０１２２】
［１−１１．動作及び効果］
以上の構成において紙幣入出金機４は、入出金口部２１及び鑑別部２２の下側に設けられた金庫部２０の内側に振分搬送部２７を配置し、入出金口部２１と鑑別部２２とを前方搬送部３０ａで接続し、鑑別部２２と振分搬送部２７とを後方搬送部３０ｂで接続するようにした。
【０１２３】
そして紙幣入出金機４は、入金計数処理時、入出金口部２１に投入された紙幣を下流の鑑別部２２に搬送して紙幣の鑑別を行い、鑑別の結果に関わらず紙幣を下流の一時保留部２３に搬送して収納する。
【０１２４】
また紙幣入出金機４は、鑑別部２２より下流の後方搬送部３０ｂにおいて、紙幣の搬送先を一時保留部２３、振分搬送部２７又は鑑別部２２の３方向に切り替える搬送路切替器３２ｂを配置するようにした。
【０１２５】
そして紙幣入出金機４は、入金計数処理時、鑑別部２２において紙幣が入金リジェクト紙幣であると判別すると、入金計数処理を中断し、紙幣が一時保留部２３から振分搬送部２７に搬送されるように搬送路切替器３２ｂを切り替えて、この紙幣を鑑別部２２の下方に配置した振分搬送部２７に搬送して貯留する。
【０１２６】
また紙幣入出金機４は、計数済みの紙幣を、鑑別部２２を介さずに紙幣収納庫２６へ搬送するようにしたため、前方搬送部３０ａと紙幣収納庫２６とを繋ぐ搬送路を省略することができる。
【０１２７】
このように紙幣入出金機４は、一時保留部２３と入出金口部２１とを、後方搬送部３０ｂ、鑑別部２２及び前方搬送部３０ａのみにより接続するようにした。これにより紙幣入出金機４は、一時保留部２３と入出金口部２１とを別途直接接続する搬送路を設け入金リジェクト紙幣を入出金口部２１へ搬送することなく、入金計数処理時に入金リジェクト紙幣を入金計数処理が完了するまで振分搬送部２７に一時貯留しておき、入金計数処理が完了した後、この入金リジェクト紙幣を入出金口部２１に戻して利用者に返却することができる。
【０１２８】
また紙幣入出金機４は、入金計数処理時の入金リジェクト紙幣の一時貯留先として、収納処理時及び出金取引処理時に、鑑別部２２と複数の紙幣収納庫２６（２６ａ〜２６ｃ）との間の搬送路として機能する振分搬送部２７を利用するようにした。すなわち紙幣入出金機４は、入金計数処理時には従来利用されていなかった振分搬送部２７を、入金計数処理時の入金リジェクト紙幣の一時貯留先として利用するようにした。
【０１２９】
こうすることで紙幣入出金機４は、入金リジェクト紙幣専用の一時収納庫を別途設ける必要がなく、入金リジェクト紙幣を一時貯留する場合のコスト増を最小限に抑えることができ、また紙幣入出金機４が大型化してしまうことを回避することができる。
【０１３０】
一般的に紙幣入出金機４は、紙幣の金種ごとに複数（例えば３つ以上）の紙幣収納庫２６（２６ａ〜２６ｃ）を有しているので、これらを繋ぐ振分搬送部２７は、一定枚数以上の入金リジェクト紙幣を貯留できるだけの長さを有している。このため、多くの紙幣入出金機で、振分搬送部を延長したりせずに、そのまま入金リジェクト紙幣の一時貯留先として利用することができる。
【０１３１】
また紙幣入出金機４は、鑑別部２２の下方に複数の紙幣収納庫２６（２６ａ〜２６ｃ）と振分搬送部２７とを配置しているため、紙幣入出金機４や金庫部２０の前後方向のサイズが大型化してしまうことを回避できる。
【０１３２】
以上の構成によれば現金自動取引装置１は、紙幣に関する操作を受け付ける接客部１２と、紙幣を外部から取り込むと共に外部へ排出する入出金口部２１と、紙幣の鑑別を行う鑑別部２２と、入出金口部２１と鑑別部２２との間において紙幣を搬送する前方搬送部３０ａと、鑑別部２２の下方に設けられ、入出金口部２１に投入された紙幣のうち鑑別部２２により正常と判別された正常紙幣を収納する紙幣収納庫２６と、鑑別部２２の下方に設けられ、正常紙幣を金種に応じて紙幣収納庫２６に振り分けると共に、鑑別部２２により入金に適さないと判別された入金リジェクト紙幣を貯留する振分搬送部２７と、鑑別部２２と振分搬送部２７との間において紙幣を搬送する後方搬送部３０ｂとを設けるようにした。
【０１３３】
これにより現金自動取引装置１は、入出金口部２１の繰出口と集積口とを共通化させ搬送路を簡易化すると共に、入金リジェクト紙幣を入出金口部２１に搬送することなく振分搬送部２７に搬送することにより一時貯留することができる。
【０１３４】
［２．第２の実施の形態］
［２−１．現金自動取引装置及び紙幣入出金機の構成］
図２３に示すように、第２の実施の形態による現金自動取引装置１０１の紙幣入出金機１０４は、第１の実施の形態による現金自動取引装置１の紙幣入出金機４と比べて、制御部１１０が制御部１０と異なると共に一時保留部２３が省略されているものの、それ以外は同様に構成されている。
【０１３５】
［２−２．入金計数・収納処理］
次に、紙幣入出金機１０４における入金計数・収納処理の動作について図２４乃至図２７を用いて説明する。
【０１３６】
紙幣入出金機１０４は、利用者により現金自動取引装置１０１にキャッシュカード等が挿入され、操作表示部６を介して入金取引が選択されて暗証番号等が入力されると、入出金口シャッタ５を開くことにより、紙幣の投入が可能な状態となる。
【０１３７】
その後、図２４に示すように利用者により入出金口部２１に紙幣が投入されると、紙幣入出金機１０４は、入出金口部２１内のセンサにより紙幣の投入を検知して入出金口シャッタ５（図２３）を閉じる。
【０１３８】
その後、図２５に示すように紙幣入出金機１０４は、入出金口部２１に投入された紙幣を１枚ずつ分離し下流の鑑別部２２に繰り出す。
【０１３９】
鑑別部２２によって紙幣が収納可能な紙幣（すなわち正常紙幣）と判別された場合、紙幣入出金機１０４は、紙幣の金種に応じて振分搬送部２７の搬送路切替器５３を切り替える。
【０１４０】
すなわち紙幣入出金機１０４は、紙幣の搬送先が、紙幣の金種に応じた紙幣収納庫２６（２６ａ〜２６ｃ）となるように、搬送路切替器５３（５３ａ〜５３ｃ）を切り替える。これにより紙幣入出金機１０４は、紙幣を振分搬送部２７からその金種に応じた紙幣収納庫２６へと搬送し集積する。
【０１４１】
このとき紙幣入出金機１０４は、鑑別部２２によって鑑別された紙幣の金種をもとに、紙幣収納庫２６に集積した紙幣の計数を行う。
【０１４２】
一方、鑑別部２２によって紙幣が入金受入不可能な紙幣（すなわち入金リジェクト紙幣）と判別されると、図２６に示すように紙幣入出金機１０４は、入金計数処理を中断し、入出金口部２１からの紙幣の繰り出しを中断する。
【０１４３】
その後、図２７に示すように紙幣入出金機１０４は、振分搬送部２７又は後方搬送部３０ｂに位置している入金リジェクト紙幣と当該入金リジェクト紙幣の後続の紙幣とを、鑑別部２２を経由して入出金口部２１に戻し、入出金口部２１において繰り出されずに残留している紙幣と合わせて利用者へ返却する。
【０１４４】
このとき現金自動取引装置１０１は、操作表示部６に入金リジェクト紙幣の受取案内を表示する。そして紙幣入出金機１０４が入出金口シャッタ５を開くことで、入金リジェクト紙幣の受け取りが可能な状態となる。
【０１４５】
その後利用者により入出金口部２１から入金リジェクト紙幣が抜き取られると、入出金口部２１内のセンサにより紙幣の受け取りが検知され、紙幣入出金機１０４は入出金口シャッタ５を閉じる。そして紙幣入出金機１０４は再度入出金口シャッタ５を開き、紙幣の投入が可能な状態とする。
【０１４６】
ここで、利用者により再度入出金口部２１に紙幣が投入されると、入出金口部２１内のセンサにより紙幣の投入が検知され、紙幣入出金機１０４は入出金口シャッタ５を閉じる。紙幣入出金機１０４は、再度投入された紙幣の計数を上述した手順で行う。
【０１４７】
この入金計数処理が完了すると、現金自動取引装置１０１は、操作表示部６に入金計数結果を表示して、利用者に対して入金計数結果の確認を行う。
【０１４８】
ここで、利用者により操作表示部６を介して入金取引の確定が指示入力されると、紙幣入出金機１０４は、入金計数・収納処理を完了する。
【０１４９】
その他紙幣入出金機１０４は、入金リジェクト紙幣取込処理、出金取引処理及び出金紙幣取込処理において紙幣入出金機４と同様の動作を行う。
【０１５０】
［２−３．動作及び効果］
紙幣入出金機１０４は、入金計数・収納処理において、入金金額が確定される前は一時保留部２３に収納された紙幣を利用者の紙幣として扱い入金金額が確定された後は紙幣収納庫２６に収納された紙幣を現金自動取引装置１０１の紙幣として扱うということは紙幣入出金機４のようにはできなくなる。すなわち紙幣入出金機１０４は、入金取引において利用者の紙幣と現金自動取引装置１０１の紙幣とを明確に区別することが紙幣入出金機４よりもできなくなる。
【０１５１】
また紙幣入出金機１０４は、入金リジェクト紙幣を、入出金口部２１において繰り出されずに残留している紙幣と合わせて利用者へ返却するため、紙幣入出金機４と比べて、利用者に返却する紙幣の枚数が多くなる。
【０１５２】
しかしながら紙幣入出金機１０４は、紙幣入出金機４と比べて一時保留部２３（図２）を削除しているため、構成を簡素化しコストを低減できる。
【０１５３】
このため、例えば大半の取引が出金取引である等、上述した運用上の制限があっても問題ない場合、より構成が簡素で安価な現金自動取引装置１０１を提供できる。
【０１５４】
また、現金自動取引装置１０１の紙幣入出金機１０４に対し一時保留部２３（図３）を装着するだけで紙幣入出金機４と同様の構成となるため、現金自動取引装置１０１は、入出金機として用いる場合は一時保留部２３を装着し、出金専用機として用いる場合は一時保留部２３を取り外し、一時保留部２３を利用するかどうかをユーザの操作に基づき選択することにより、ユーザの要望に合わせて簡単に構成と動作とを変更することができる。
【０１５５】
その他第２の実施の形態による紙幣入出金機１０４は、第１の実施の形態による紙幣入出金機４とほぼ同様の作用効果を奏する。
【０１５６】
［３．第３の実施の形態］
［３−１．現金自動取引装置及び紙幣入出金機の構成］
図２８に示すように、第３の実施の形態による現金自動取引装置２０１の紙幣入出金機２０４は、第１の実施の形態による現金自動取引装置１の紙幣入出金機４と比べて、紙幣収納庫２６ｄ及び２６ｅが追加され、制御部２１０が制御部１０と、振分搬送部２２７が振分搬送部２７と、後方搬送部３０ｂが後方搬送部２３０ｂと、金庫部２２０が金庫部２０と異なるものの、それ以外は同様に構成されている。
【０１５７】
金庫部２２０は金庫部２０と比べて、前後方向の長さが長く形成されている。金庫部２２０の内側には、５個の紙幣収納庫２６（２６ａ〜２６ｅ）が前後方向に並べて配置され、紙幣収納庫２６ｅの前方に取込庫２５が配置されている。
【０１５８】
振分搬送部２２７は、振分搬送部２７と比べて前後方向の長さが長く形成されており、前端と後端との間の５箇所で、紙幣収納庫２６ａ、２６ｂ、２６ｃ、２６ｄ及び２６ｅの上端と接続されている。
【０１５９】
また振分搬送部２２７には、それぞれ紙幣収納庫２６ａ、２６ｂ、２６ｃ、２６ｄ及び２６ｅとの接続箇所に搬送路切替器５３ａ、５３ｂ、５３ｃ、５３ｄ及び５３ｅが設けられている。
【０１６０】
これら５個の搬送路切替器５３（５３ａ〜５３ｅ）は、制御部１１０の制御に基づき、振分搬送部２２７と、後方搬送部２３０ｂ、紙幣収納庫２６及び取込庫２５との間を接続又は非接続に切り替えることにより、紙幣の搬送先を、後方搬送部２３０ｂ、紙幣収納庫２６又は取込庫２５のうちの１つに切り替える。
【０１６１】
後方搬送部２３０ｂは、後方搬送部３０ｂと比べて前後方向の長さが長く形成されている。このため後方搬送部２３０ｂは、入金取引時に前方から後方へ向かう紙幣が鑑別部２２を通過してから搬送路切替器３２ｂに到達する前の時点において、紙幣を鑑別し鑑別結果に基づいて搬送路切替器３２ｂを一時保留部２３又は振分搬送部２７に切り替えることができるだけの後方搬送路３０ｂ１の長さを有している。
【０１６２】
［３−２．入金計数処理］
鑑別部２２によって紙幣が入金受入可能な紙幣（すなわち正常紙幣）と判別されると、図２９に示すように紙幣入出金機２０４は、正常紙幣の搬送先が一時保留部２３となるように搬送路切替器３２ｂを切り替え、正常紙幣を鑑別部２２から一時保留部２３へ搬送し収納する。
【０１６３】
一方、鑑別部２２によって紙幣が入金受入不可能な紙幣（すなわち入金リジェクト紙幣）と判別されると、紙幣入出金機２０４は、入金計数処理を中断することなく、入金リジェクト紙幣の搬送先が振分搬送部２２７となるように搬送路切替器３２ｂを切り替え、入金リジェクト紙幣を鑑別部２２から振分搬送部２２７へ搬送し一時貯留した後に入出金口部２１へ戻す。
【０１６４】
ここで図２９は、最大貯留枚数である６枚の入金リジェクト紙幣が振分搬送部２２７内に一時貯留されている状態を示している。
【０１６５】
その後紙幣入出金機２０４は、紙幣入出金機４と同様に入金計数処理を繰り返す。その他紙幣入出金機２０４は、入金リジェクト紙幣取込処理、収納処理、出金取引処理及び出金紙幣取込処理において紙幣入出金機４と同様の動作を行う。
【０１６６】
［３−３．動作及び効果］
紙幣入出金機２０４は、振分搬送部２２７の前後方向の長さを振分搬送部２７よりも長くするようにした。これにより紙幣入出金機２０４は、振分搬送部２２７に貯留する入金リジェクト紙幣の枚数を紙幣入出金機４よりも増加させることができる。
【０１６７】
また紙幣入出金機２０４は、後方搬送部２３０ｂの前後方向の長さを後方搬送部３０ｂよりも長くするようにした。このため紙幣入出金機２０４は、紙幣が鑑別部２２を通過してから搬送路切替器３２ｂに到達する前の時点において、搬送路切替器３２ｂを一時保留部２３又は振分搬送部２７に切り替えることができる。
【０１６８】
これにより紙幣入出金機２０４は、入出金口部２１に投入された紙幣のうち、正常紙幣を一時保留部２３へ、入金リジェクト紙幣を振分搬送部２７へと振り分けながら、入金計数処理を中断することなく連続的に処理することができる。
【０１６９】
その他第３の実施の形態による紙幣入出金機２０４は、第１の実施の形態による紙幣入出金機４とほぼ同様の作用効果を奏する。
【０１７０】
［４．他の実施の形態］
なお上述した第１の実施の形態の入金計数処理においては、正常紙幣及び未計数紙幣を除いた入金リジェクト紙幣のみを利用者に返却する場合について述べた。本発明はこれに限らず、入金リジェクト紙幣に加えて未計数紙幣を利用者に返却しても良い。第３の実施の形態においても同様である。またその際、例えば図３０に示す表裏反転操作誘導画面ＤＩＰを操作表示部６に表示させたり、音声案内を行ったりすることにより、入出金口部２１の紙幣の束の表裏の向きを反転して当該入出金口部２１に入れ直すよう利用者に提示しても良い。
【０１７１】
また、利用者が投入した紙幣の枚数が少ない場合は、入金リジェクト紙幣に加えて未計数紙幣を利用者に返却する一方、利用者が投入した紙幣の枚数が多い場合は、入金リジェクト紙幣のみを利用者に返却するようにしても良い。
【０１７２】
さらに上述した入金リジェクト紙幣取込処理（図１３）において、入金リジェクト紙幣を、一時保留部２３を介することなく取込庫２５に直接搬送し集積しても良い。第３の実施の形態においても同様である。
【０１７３】
さらに上述した入金リジェクト紙幣取込処理（図１４）において、紙幣収納庫２６（２６ａ〜２６ｃ）のうちの１つが取込庫に設定されている場合、取込庫２５に代えて、取込庫として設定されている紙幣収納庫２６に入金リジェクト紙幣を集積しても良い。第２及び第３の実施の形態においても同様である。
【０１７４】
さらに上述した収納処理（図１５）において、リジェクト庫２４に代えて、取込庫２５に収納リジェクト紙幣を集積しても良い。第３の実施の形態においても同様である。
【０１７５】
さらに上述した出金紙幣取込処理（図１７）において、紙幣収納庫２６（２６ａ〜２６ｃ）のうちの１つが取込庫に設定されている場合、取込庫２５に代えて、取込庫として設定されている紙幣収納庫２６に取り忘れ紙幣を集積しても良い。第２及び第３の実施の形態においても同様である。
【０１７６】
さらに上述した出金紙幣取込処理（図１７）において、取り忘れ紙幣のうち出金に再利用可能な紙幣を、紙幣収納庫２６（２６ａ〜２６ｃ）に収納しても良い。第２及び第３の実施の形態においても同様である。
【０１７７】
すなわち取り忘れ紙幣を再利用するように設定されている場合、紙幣入出金機４は、振分搬送部２７において紙幣の金種に応じて搬送路切替器５３（５３ａ〜５３ｃ）を切り替え、紙幣をその金種に応じた紙幣収納庫２６（２６ａ〜２６ｃ）内に集積する。
【０１７８】
一方、鑑別部２２によって紙幣が再利用不適合な紙幣（すなわち取り忘れ紙幣のうち、再利用できない紙幣）と判別されると、紙幣入出金機４はこの紙幣の搬送先が取込庫２５となるように搬送路切替器５３（５３ａ〜５３ｃ）を切り替え、再利用不適合な紙幣を取込庫２５へ搬送し集積する。
【０１７９】
さらに上述した入金計数・収納処理（図２６）において、入金リジェクト紙幣よりも先行する紙幣が振分搬送部２７に存在する場合、当該紙幣をその金種に応じた紙幣収納庫２６（２６ａ〜２６ｃ）内に集積しても良い。
【０１８０】
さらに上述した実施の形態においては、鑑別部２２、前方搬送部３０ａ及び後方搬送部３０ｂをまとめて１つの鑑別ユニットとしても良い。
【０１８１】
さらに上述した第１の実施の形態においては、振分搬送部２７を金庫部２０よりも上側に配置しても良い。その場合、それぞれ搬送路切替器５３ａ、５３ｂ及び５３ｃと、紙幣収納庫２６ａ、２６ｂ及び２６ｃとの間の搬送路の位置合わせが紙幣入出金機４よりも煩雑になるものの、紙幣を収納する紙幣収納庫２６及び取込庫２５のみを金庫部２０に格納することができる。第２及び第３の実施の形態においても同様である。
【０１８２】
さらに上述した第１の形態においては、振分搬送部２７を、入金リジェクト紙幣を一時的に貯留する一時貯留部として利用する場合について述べた。本発明はこれに限らず、複数の紙幣収納庫２６（２６ａ〜２６ｃ）のうちの１つ又は取込庫２５等、鑑別部２２に対して双方向に紙幣を搬送でき、且つ入金リジェクト紙幣を一時的に貯留できる箇所を有しているのであれば、このような箇所を一時貯留部として利用するようにしてもよい。第２及び第３の実施の形態においても同様である。
【０１８３】
さらに上述した実施の形態においては、現金自動取引装置に設けられた紙幣入出金機に本発明を適用する場合について述べた、本発明はこれに限らず、入金時に投入された紙幣のうち入金に不適合と判別された入金リジェクト紙幣を一時的に貯留する装置であれば、この他種々の装置に適用することができる。
【０１８４】
さらに上述した実施の形態においては、現金を取引する現金自動取引装置において、媒体としての紙幣ＢＬを鑑別する場合において本発明を適用する場合について述べた。本発明はこれに限らず、例えば債権、証書、商品券、金券や入場券等のような薄い紙状の媒体を鑑別する種々の装置に適用しても良い。
【０１８５】
さらに本発明は、上述した第１乃至第３の実施の形態と、上述した他の実施の形態とに限定されるものではない。すなわち本発明は、上述した第１乃至第３の実施の形態と上述した他の実施の形態の一部又は全部を任意に組み合わせた実施の形態や、一部を抽出した実施の形態にもその適用範囲が及ぶものである。
【０１８６】
さらに上述した実施の形態においては、入出金口部としての入出金口部２１と、鑑別部としての鑑別部２２と、第１搬送部としての前方搬送部３０ａと、紙幣収納庫としての紙幣収納庫２６と、振分搬送部としての振分搬送部２７と、第２搬送部としての後方搬送部３０ｂとによって、紙幣入出金装置としての紙幣入出金機４、１０４又は２０４を構成する場合について述べた。
【０１８７】
本発明はこれに限らず、その他種々の構成でなる入出金口部と、鑑別部と、第１搬送部と、紙幣収納庫と、振分搬送部と、第２搬送部とによって紙幣入出金装置を構成しても良い。
【０１８８】
さらに上述した実施の形態においては、接客部としての接客部１２と、入出金口部としての入出金口部２１と、鑑別部としての鑑別部２２と、第１搬送部としての前方搬送部３０ａと、紙幣収納庫としての紙幣収納庫２６と、振分搬送部としての振分搬送部２７と、第２搬送部としての後方搬送部３０ｂとによって、紙幣取引装置としての現金自動取引装置１、１０１又は２０１を構成する場合について述べた。
【０１８９】
本発明はこれに限らず、その他種々の構成でなる接客部と、入出金口部と、鑑別部と、第１搬送部と、紙幣収納庫と、振分搬送部と、第２搬送部とによって紙幣取引装置を構成しても良い。
【産業上の利用可能性】
【０１９０】
本発明は、入金時に投入された紙幣のうち入金に適していないと判別された入金リジェクト紙幣を利用者に返却するようになっている現金自動取引装置などの装置で広く利用することができる。
【符号の説明】
【０１９１】
１、１０１、２０１……現金自動取引装置、２……カード挿入返却口、３……レシート発行口、４、１０４、２０４……紙幣入出金機、５……入出金口シャッタ、６……操作表示部、７……テンキー、８……主制御部、８Ａ……記憶部、１０、１１０、２１０……制御部、１１……筐体、１２……接客部、２０、２２０……金庫部、２１……入出金口部、２１ａ……入出金口、２２……鑑別部、２３……一時保留部、２４……リジェクト庫、２５……取込庫、２６……紙幣収納庫、２７、２２７……振分搬送部、２８……振分搬送路、３０、２３０……搬送路、３０ａ……前方搬送部、３０ｂ、２３０ｂ……後方搬送部、３０ａ１……前方搬送路、３０ｂ１……後方搬送路、３２、５３……搬送路切替器、３３、５４……搬送状態検知センサ、４０、５０……搬送ローラ、４１、５１……搬送ガイド、５２……搬送ベルト、ＢＬ……紙幣。
【図１】
2015056125.tif 000003
【図２】
2015056125.tif 000004
【図３】
2015056125.tif 000005
【図４】
2015056125.tif 000006
【図５】
2015056125.tif 000007
【図６】
2015056125.tif 000008
【図７】
2015056125.tif 000009
【図８】
2015056125.tif 000010
【図９】
2015056125.tif 000011
【図１０】
2015056125.tif 000012
【図１１】
2015056125.tif 000013
【図１２】
2015056125.tif 000014
【図１３】
2015056125.tif 000015
【図１４】
2015056125.tif 000016
【図１５】
2015056125.tif 000017
【図１６】
2015056125.tif 000018
【図１７】
2015056125.tif 000019
【図１８】
2015056125.tif 000020
【図１９】
2015056125.tif 000021
【図２０】
2015056125.tif 000022
【図２１】
2015056125.tif 000023
【図２２】
2015056125.tif 000024
【図２３】
2015056125.tif 000025
【図２４】
2015056125.tif 000026
【図２５】
2015056125.tif 000027
【図２６】
2015056125.tif 000028
【図２７】
2015056125.tif 000029
【図２８】
2015056125.tif 000030
【図２９】
2015056125.tif 000031
【図３０】
2015056125.tif 000032